【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
複数の光源手段と、前記複数の光源手段から出射された複数の光束を偏向走査する偏向手段と、前記偏向手段の偏向面で偏向走査された複数の光束にそれぞれ対応して設けられた複数の結像光学系と、を有する光走査装置において、
前記複数の結像光学系により前記複数の光束は互いに異なる被走査面に結像しており、
前記複数の結像光学系は、前記偏向手段で前記被走査面において同じ方向に複数の光束が偏向走査されており、
前記偏向手段の偏向点から前記被走査面までの光学的な距離を前記結像光学系の光路長と定義したとき、
前記偏向手段に物理的に最も近い被走査面に前記偏向面で偏向走査された光束を結像させる結像光学系の光路長は、前記偏向手段に物理的に最も遠い被走査面に前記偏向面で偏向走査された光束を結像させる結像光学系の光路長と異なり、
前記偏向手段から前記被走査面までの物理的な距離が異なる結像光学系のうち光路長の短い方の結像光学系のＫθ係数をＫ１、前記偏向手段から前記被走査面までの物理的な距離が異なる結像光学系のうち光路長の長い方の結像光学系のＫθ係数をＫ２とするとき、
０．８５＜Ｋ１／Ｋ２＜０．９８
なる条件を満足することを特徴とする光走査装置。
【請求項２】
前記偏向手段に物理的に最も近い被走査面に前記偏向面で偏向走査された光束を結像させる結像光学系のミラーの枚数は、前記偏向手段に物理的に最も遠い被走査面に前記偏向面で偏向走査された光束を結像させる結像光学系のミラーの枚数に比べて多いことを特徴とする請求項１に記載の光走査装置。
【請求項３】
前記結像光学系は、複数若しくは単一の結像レンズから構成され、前記偏向手段から物理的に最も遠い被走査面に前記偏向面で偏向走査された光束を結像させる結像光学系において、前記被走査面に光学的に最も近い結像レンズは、前記被走査面に光学的に最も近いミラーより偏向手段側に配置されていることを特徴とする請求項１又は２に記載の光走査装置。
【請求項４】
前記偏向手段に入射する複数の光束は、主走査方向の光束の収束度が互いに異なり、前記収束度をｍとするとき、それぞれ
｜ｍ｜＜０．２
ここに、
ｍ＝１−Ｓｋ／ｆ
Ｓｋ：主走査断面内における結像光学系の後側主平面から被走査面までの距離（ｍｍ）
ｆ：前記結像光学系の主走査断面内の焦点距離（ｍｍ）
なる条件を満足することを特徴とする請求項１から３の何れか一項に記載の光走査装置。
【請求項５】
前記偏向手段に入射する複数の光束は、副走査断面内において、前記偏向手段の偏向面に垂直な面に対して斜め方向から入射しており、前記複数の光束の斜入射角が等しいことを特徴とする請求項１から４の何れか一項に記載の光走査装置。
【請求項６】
前記結像光学系は複数若しくは単一の結像レンズから構成され、光学的に最も偏向手段に近い結像レンズは、前記複数の結像光学系で共用されていることを特徴とする請求項１から５の何れか一項に記載の光走査装置。
【請求項７】
前記結像光学系は、複数若しくは単一の結像レンズから構成され、前記結像光学系の副走査断面内の結像倍率をβsとするとき、
１.０＜｜βs｜＜２．２
なる条件を満足することを特徴とする請求項１から６の何れか一項に記載の光走査装置。
【請求項８】
前記複数の結像光学系は、各々複数の結像レンズから構成され、前記複数の結像光学系において、前記偏向手段から前記被走査面に光学的に最も近い結像レンズまでの光路長の差は、０．０５Ｋ２以下であることを特徴とする請求項１から７の何れか一項に記載の光走査装置。
【請求項９】
前記偏向手段に物理的に最も近い被走査面に前記偏向面で偏向走査された光束を結像させる結像光学系の光束は、副走査断面内においてそれ自体の光束と交差しなく、前記偏向手段に物理的に最も近い被走査面に前記偏向面で偏向走査された光束を結像させる結像光学系の光路長は、前記偏向手段に物理的に最も遠い被走査面に前記偏向面で偏向走査された光束を結像させる結像光学系の光路長よりも短いことを特徴とする請求項１から８の何れか一項に記載の光走査装置。
【請求項１０】
前記偏向手段に物理的に最も近い被走査面に前記偏向面で偏向走査された光束を結像させる結像光学系の光束は、副走査断面内においてそれ自体の光束と交差しており、前記偏向手段に物理的に最も近い被走査面に前記偏向面で偏向走査された光束を結像させる結像光学系の光路長は、前記偏向手段に物理的に最も遠い被走査面に前記偏向面で偏向走査された光束を結像させる結像光学系の光路長よりも長いことを特徴とする請求項１から８の何れか一項に記載の光走査装置。
【請求項１１】
前記偏向手段は、複数の偏向面を有し、異なる偏向面には、それぞれ複数の光源手段から出射した複数の光束がそれぞれ対応する入射光学系を介して入射しており、前記複数の光束は、前記偏向手段を挟んだ両側に配置した被走査面を走査していることを特徴とする請求項１から１０の何れか一項に記載の光走査装置。
【請求項１２】
前記複数の入射光学系は、同一形状の入射結像レンズを各々有しており、前記同一形状の入射結像レンズは、前記複数の入射光学系毎に前記偏向手段からの光軸方向の位置が異なっており、且つ、前記複数の入射光学系は、副走査方向の絞り径が異なる絞りを有していることを特徴としている請求項１から１１の何れか一項に記載の光走査装置。
【請求項１３】
前記複数の入射光学系は、異なる形状の入射結像レンズを各々有しており、前記異なる形状の入射結像レンズは、互いに一体化されており、且つ、前記複数の入射光学系は、副走査方向の絞り径が異なる絞りを有していることを特徴とする請求項１から１１の何れか一項に記載の光走査装置。
【請求項１４】
各々が請求項１から１３の何れか一項に記載の光走査装置と、前記複数の被走査面に配置された複数の感光体と、前記光走査装置で走査された光束によって前記感光体の上に形成された静電潜像をトナー像として現像する複数の現像器と、現像されたトナー像を被転写材に転写する複数の転写器と、転写されたトナー像を被転写材に定着させる定着器とを有することを特徴とする画像形成装置。
【請求項１５】
外部機器から入力した色信号を異なった色の画像データに変換するプリンタコントローラを備えたことを特徴とする請求項１４に記載の画像形成装置。
【手続補正２】
【補正対象書類名】明細書
【補正対象項目名】００２４
【補正方法】変更
【補正の内容】
【００２４】
請求項１の発明の光走査装置は、複数の光源手段と、前記複数の光源手段から出射された複数の光束を偏向走査する偏向手段と、前記偏向手段の偏向面で偏向走査された複数の光束にそれぞれ対応して設けられた複数の結像光学系と、を有する光走査装置において、
前記複数の結像光学系により前記複数の光束は互いに異なる被走査面に結像しており、前記複数の結像光学系は、前記偏向手段で前記被走査面において同じ方向に複数の光束が偏向走査されており、前記偏向手段の偏向点から前記被走査面までの光学的な距離を前記結像光学系の光路長と定義したとき、前記偏向手段に物理的に最も近い被走査面に前記偏向面で偏向走査された光束を結像させる結像光学系の光路長は、前記偏向手段に物理的に最も遠い被走査面に前記偏向面で偏向走査された光束を結像させる結像光学系の光路長と異なり、前記偏向手段から前記被走査面までの物理的な距離が異なる結像光学系のうち光路長の短い方の結像光学系のＫθ係数をＫ１、前記偏向手段から前記被走査面までの物理的な距離が異なる結像光学系のうち光路長の長い方の結像光学系のＫθ係数をＫ２とするとき、
０．８５＜Ｋ１／Ｋ２＜０．９８
なる条件を満足することを特徴とする。
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】